(57)【要約】      （修正有）【課題】戸建住宅、マンション、アパート等の共同住宅内に、簡易迅速、且つ、低コストにて手軽に構築でき、二段ベッドの下側空間部のような狭小スペースに設置することも可能な防音スペース及びその構築方法を提供する。【解決手段】板材２の一面全体に防音シート３を被装し、更に、防音シート３を各辺から延出させて耳部４を設けて成るパネルを用いて構築される防音スペースであって、所望の立体形状に形成される骨組みと、骨組みを囲むように防音シート３被装面を内側にして骨組みの正背面、左右側面及び上下面に張着されるパネルと、骨組み材間に装填される樹脂製吸音材１２と、樹脂製吸音材１２の内面側に張着してパネルとの間に樹脂製吸音材１２を隠蔽する多孔板１３とで構成され、パネルのうち正面に位置するパネルにドアが配設されて成る。【選択図】図２
2014009509.tif 000002
【特許請求の範囲】
【請求項１】
板材の一面全体に防音シートを被装し、更に、前記防音シートを各辺から延出させて耳部を設けて成るパネルを用いた防音スペースの構築方法であって、
骨組み材を組んで、正背面、左右側面及び上下面に板材を張着可能にした骨組みを設ける工程と、
前記骨組みを囲むようにその正背面、左右側面及び上下面に前記パネルを、前記防音シート被装面を内側にして張着し、その正面にはドアを設けたパネルを配設する工程と、
前記骨組み材間に樹脂製吸音材を装填する工程と、
前記樹脂製吸音材に多孔板を張着して前記樹脂製吸音材を隠蔽する工程とから成る防音スペースの構築方法。
【請求項２】
前記パネル同士の接合部において、一方の前記パネルの前記耳部と他方の前記パネルの前記耳部とを重合して前記骨組み材間に挟持させる、請求項１に記載の防音スペースの構築方法。
【請求項３】
前記ドアを設けるパネルには前記ドアが収まる開口部を形成し、前記開口部の縁部に第１及び第２の段差を設け、前記第１及び第２の段差にはその全周に亘ってシール材を定着し、前記ドアは、ドア本体と、その内面に定着される前記ドア本体より小寸の中間板と、該中間板に固設される前記中間板より小寸の吸音板とで構成し、閉扉時に前記ドア本体が前記第１の段差の前記シール材に密着すると共に、前記中間板が前記第２の段差の前記シール材に密着するようにし、また、前記吸音材が前記開口部に収まるようにする、請求項１又は２に記載の防音スペースの構築方法。
【請求項４】
前記樹脂製吸音材として、フラワーアレンジメント用の樹脂発泡体製ブロックを用いる、請求項１乃至３のいずれかに記載の防音スペースの構築方法。
【請求項５】
板材の一面全体に防音シートを被装し、更に、前記防音シートを各辺から延出させて耳部を設けて成るパネルを用いて構築される防音スペースであって、
所望の立体形状に形成される骨組みと、前記骨組みを囲むように前記防音シート被装面を内側にして前記骨組みの正背面、左右側面及び上下面に張着される前記パネルと、前記骨組み材間に装填される樹脂製吸音材と、前記樹脂製吸音材の内面側に張着して前記パネルとの間に前記樹脂製吸音材を隠蔽する多孔板とで構成され、前記パネルのうち正面に位置するパネルにドアが配設されて成る防音スペース。
【請求項６】
前記パネル同士の接合部において、一方の前記パネルの前記耳部と他方の前記パネルの前記耳部とが重なり合って前記骨組み材間に挟持されている、請求項５に記載の防音スペース。
【請求項７】
前記ドアが配設されるパネルには前記ドアが収まる開口部が形成され、前記開口部の縁部に第１及び第２の段差が形成され、前記第１及び第２の段差にはその全周に亘ってシール材が定着され、前記ドアは、ドア本体と、その内面に定着される前記ドア本体より小寸の中間板と、該中間板に固設される前記中間板より小寸の吸音板とから成り、閉扉時において、前記ドア本体が前記第１の段差の前記シール材に密着すると共に前記中間板が前記第２の段差の前記シール材に密着し、また、前記吸音材が前記開口部に収まるように形成された、請求項５又は６に記載の防音スペース。
【請求項８】
前記樹脂製吸音材として、フラワーアレンジメント用の樹脂発泡体製ブロックが用いられる、請求項５乃至７のいずれかに記載の防音スペース。
【請求項９】
二段ベッドの下側のスペースに組み込まれた、請求項５乃至８のいずれかに記載の防音スペース。
【請求項１０】
板材の一面全体に防音シートを被装し、更に、前記防音シートを各辺から延出させて耳部を設けたことを特徴とする防音スペース構築用パネル。
【請求項１１】
前記防音シートは鉛シートである、請求項１０に記載の防音スペース構築用パネル。
【発明の詳細な説明】
【技術分野】
【０００１】
本発明は、防音スペース及び防音スペースの構築方法に関するものであり、より詳細には、主にマンション、アパート、一般戸建て住宅等の室内に簡単に構築することができ、優れた防音機能を発揮し、近隣に迷惑をかけることなく楽器演奏等を行うことが可能な防音スペース及びその構築方法に関するものである。
【背景技術】
【０００２】
我が国の住宅事情からして、室内から発せられるピアノ等の騒音をめぐる紛争が後を絶たない。楽器についてみると、近隣に迷惑を掛けないようにするために、音量を押さえたサイレントギターやサイレントチェロ、あるいは、音量調整が可能な電子ピアノ等があるが、トランペット等にはそのようなものがなく、一般家庭内において練習することは実質的に困難である。そこで、室内に防音室を設けることが考えられるが、部屋全体に特殊防音材を張らなければならないためにコスト高となりやすく、また、隙間から音漏れが生じやすいという問題もあって、一般化していない。
【０００３】
従来、室内の静寂性を高めることを目的とする遮音室構造は種々提案されているが、それらは主に就寝時の快適性を求めるといったレベルのもので、上記楽器騒音対策となり得るものではない。
【先行技術文献】
【特許文献】
【０００４】
【特許文献１】特開２０１１−１７１８０号公報
【特許文献２】特開２０１０−１８９９１７号公報
【特許文献３】特開平６−２００６４２号公報
【特許文献４】特公平２−４２９９１号公報
【発明の概要】
【発明が解決しようとする課題】
【０００５】
上述したように、従来、戸建住宅はもとより、マンション、アパート等の共同住宅内に、簡易迅速、且つ、低コストにて防音室を設けることは困難であった。そこで本発明は、戸建住宅はもとより、マンション、アパート等の共同住宅内に、簡易迅速、且つ、低コストにて手軽に構築でき、しかも、部屋全体ではなく、その一部に、あるいは、二段ベッドの下側空間部のような狭小スペースに設置することも可能な防音スペース及びその構築方法を提供することを課題とする。
【課題を解決するための手段】
【０００６】
上記課題を解決するための請求項１に係る発明は、板材の一面全体に防音シートを被装し、更に、前記防音シートを各辺から延出させて耳部を設けて成るパネルを用いた防音スペースの構築方法であって、骨組み材を組んで、正背面、左右側面及び上下面に板材を張着可能にした骨組みを設ける工程と、前記骨組みを囲むようにその正背面、左右側面及び上下面に前記パネルを、前記防音シート被装面を内側にして張着し、その正面にはドアを設けたパネルを配設する工程と、前記骨組み材間に樹脂製吸音材を装填する工程と、前記樹脂製吸音材に多孔板を張着して前記樹脂製吸音材を隠蔽する工程とから成る防音スペースの構築方法である。
【０００７】
一実施形態においては、前記パネル同士の接合部において、一方の前記パネルの前記耳部と他方の前記パネルの前記耳部とを重合して前記骨組み材間に挟持させ、また、前記樹脂製吸音材として、フラワーアレンジメント用の樹脂発泡体製ブロックを用いる。
【０００８】
また、一実施形態においては、前記ドアを設けるパネルには前記ドアが収まる開口部を形成し、前記開口部の縁部に第１及び第２の段差を設け、前記第１及び第２の段差にはその全周に亘ってシール材を定着し、前記ドアは、ドア本体と、その内面に定着される前記ドア本体より小寸の中間板と、該中間板に固設される前記中間板より小寸の吸音板とで構成し、閉扉時に前記ドア本体が前記第１の段差の前記シール材に密着すると共に、前記中間板が前記第２の段差の前記シール材に密着するようにし、また、前記吸音材が前記開口部に収まるようにする。
【０００９】
上記課題を解決するための請求項５に係る発明は、板材の一面全体に防音シートを被装し、更に、前記防音シートを各辺から延出させて耳部を設けて成るパネルを用いて構築される防音スペースであって、所望の立体形状に形成される骨組みと、前記骨組みを囲むように前記防音シート被装面を内側にして前記骨組みの正背面、左右側面及び上下面に張着される前記パネルと、前記骨組み材間に装填される樹脂製吸音材と、前記樹脂製吸音材の内面側に張着して前記パネルとの間に前記樹脂製吸音材を隠蔽する多孔板とで構成され、前記パネルのうち正面に位置するパネルにドアが配設されて成る防音スペースである。
【００１０】
一実施形態においては、当該防音スペースは、二段ベッドの下側のスペースに組み込まれる。
【発明の効果】
【００１１】
本発明に係る防音スペースは上記のとおりであって、内周面全体が、内側に吸音性のある樹脂製吸音材を配した多孔板（吸音板）で覆われ、また、樹脂製吸音材が防音シートに被覆された構造であり、更に、各パネル接合部には防音シートの耳が重なり合って充填されると共に、ドアの周囲の隙間が二重に配置されたシール材によってシールされるため、防音スペース内の音が外に漏れることはほとんどない。従って、戸建て住宅のみならず、マンション、アパート等に設置して、楽器練習や歌唱練習等、大きな音や音声を発する活動を行っても、近隣に迷惑をかけるおそれがないという効果がある。
【００１２】
また、本発明に係る防音スペースの構築方法は上記のとおりであるため、戸建住宅はもとより、マンション、アパート等の共同住宅内に、簡易迅速、且つ、低コストにて手軽に構築でき、しかも、部屋全体ではなく、その一部に、あるいは、二段ベッドの下側空間部のような狭小スペースに簡単に設置することができる効果がある。
【図面の簡単な説明】
【００１３】
【図１】本発明に係る防音スペースの構築方法に用いるパネルの構成例を示す斜視図である。
【図２】本発明に係る防音スペースの構築方法を示す横断面図である。
【図３】本発明に係る防音スペースにおけるドア部分の構成を示す斜視図である。
【図４】本発明に係る防音スペースを二段ベッドの下側空間部に設置した状態を示す斜視図である。
【発明を実施するための形態】
【００１４】
本発明を実施するための形態につき、添付図面に依拠して説明する。図１は、本発明に係る防音スペースの構築に用いるパネル１の構成例を示す斜視図であり、そこに示されるようにパネル１は、板材２の一面全体に防音シート３を被装し、且つ、防音シート３を各辺から延出させて耳部４を設けて成るものである。通例、パネル１は長方形又は正方形を呈するが、設置個所に応じて変形形状に形成されることもある。防音シート３としては、裏面に粘着剤が塗布され、その上に剥離紙が被装された市販の鉛シートを用いることが簡便であるが、他の同等の遮音性能を有する任意のシートを用いることができる。
【００１５】
本発明に係る防音スペースは、このパネル１を用いて構築されるもので、基本的には、骨組み材１１を直方体形状に組んで形成される骨組みと、骨組みを囲むように張着されるパネル１と、各骨組み材１１間に装填される樹脂製吸音材１２と、樹脂製吸音材１２の内側面に張着してパネル１との間に樹脂製吸音材１２を隠蔽する多孔板１３とで構成され、パネル１のうち正面に位置するパネル１にドア１４が配設される（図３参照）。各パネル１は、防音シート３被装面を内側にして骨組みの正背面、左右側面及び上下面の各面に、ビス止め等の手段により骨組み材１１に固定される。防音性能を高めるために、骨組み材１１としては木材を避けて、Ｈ型鋼、コ字型鋼等を用いることが推奨される。
【００１６】
本発明に係る防音スペースの構築方法は、上記構成の防音スペースを構築するための方法であり、骨組み材１１を組んで、正背面、左右側面及び上下面の各面にパネル１を張着可能にした骨組みを設ける工程と、該骨組みを囲むようにその正背面、左右側面及び上下面の各面にパネル１を、防音シート３被装面を内側にして張着し、その正面に、ドア１４を設置したパネルを配置する工程と、骨組み材１１間に樹脂製吸音材１２を装填する工程と、樹脂製吸音材１２の露出面に多孔板１３を張着して樹脂製吸音材１２を隠蔽する工程とから成る。
【００１７】
パネル１同士の接合部（中間部及び角部）には、骨組み材１１を対をなして配置するようにし、その一方のパネル１の耳部４を一方の骨組み材１１に纏装し（テープ止め等により仮止めする。）、これに接合される他方のパネル１の耳部４を、骨組み材１１に纏装されている一方のパネル１の耳部４の上に重ね合わせた後、他方の骨組み材１１を配して挟持させる（図２参照）。また、テープ止めする場合のテープとしては、鉛テープを用いることが好ましい。本発明においては、このように、音漏れしやすいパネル接合部の隙間に、防音シート３の耳部４が重合して充填されるため、防音効果が高い防音スペースを構築することが可能となる。
【００１８】
正面に配置されるパネル１にはドア１４が収まる開口部１５が形成され、開口部１５の縁部に第１の段差１６と第２の段差１７が形成され、各段差１６、１７の全周に亘ってシール材１８、１９が定着される。ドア１４はドア本体２１と、その内面に定着されるドア本体２１より小寸の中間板２２と、中間板２２に固設される中間板２２より小寸の吸音板２３とで構成され、閉扉時において、ドア本体２１が第１の段差１６のシール材１８に密着すると共に中間板２２が第２の段差１７のシール材１９に密着し、また、吸音板２３が開口部１５に収まるように構成される。ドア１４には、適宜ドアノブ２４が設置される。
【００１９】
シール材１９としては、例えば、樹脂製チューブを用いることができる。このシール材１９が二重に配置されることで、音漏れしやすいドア１４周囲の通気部分が確実にシールされるため、その部分からの音漏れがなくなる。吸音板２３は、枠内に吸音材を充填し、薄手の多孔板を張着した形態のものとされるが、単なる厚手の多孔板であってもよい。
【００２０】
骨組みの全面にパネル１を張着した後、各骨組み材１１間に樹脂製吸音材１２を装填する。一実施形態においては、樹脂製吸音材１２として、フラワーアレンジメント用の樹脂発泡体製ブロックが用いられる。この樹脂発泡体製ブロックは、フェノール樹脂（特開２０１１−１５７４４４号公報、特開２００６−８７６８８号公報等参照）、脂肪族ポリエステル系樹脂（特開２０１０−２０７４６９号公報等参照）等の発泡体で、軽量且つ安価で入手が容易である。この樹脂製吸音材１２を装填した後、その内側の露出面に多孔板１３を張着して樹脂製吸音材１２を隠蔽する。
【００２１】
本発明に係る防音スペースは、室内の隅部その他任意の場所に構築することができ、例えば、二段ベッド３０の下側の空間部に組み込むこともできる（図４参照）。更に必要に応じ、内部に電気コンセントを設置したり、照明器具を配設したり、また、机等を配備したりする。
【００２２】
当該防音スペースは、内周面全体が、内側に吸音性のある樹脂製吸音材１２を配した多孔板１３（吸音板２３）で覆われ、また、樹脂製吸音材１２が防音シート３に被覆された構造であり、更に、各パネル接合部には防音シート３の耳４が重なり合って充填されると共に、ドア１４の周囲の隙間が二重に配置されたシール材１９によってシールされるため、防音スペース内の音が外に漏れることはほとんどない。従って、マンション等に設置して、楽器練習や歌唱練習等、大きな音や音声を発する活動を行っても、近隣に迷惑をかけるおそれがない。
【００２３】
なお、ドア１４を閉めることにより密閉状態となるので、時折ドア１４を開閉して空気を入れ替える必要がある。
【００２４】
この発明をある程度詳細にその最も好ましい実施形態について説明してきたが、この発明の精神と範囲に反することなしに広範に異なる実施形態を構成することができることは言うまでもない。従って、この発明は、添付請求の範囲において限定した以外は、その特定の実施形態に制約されるものではない。
【符号の説明】
【００２５】
１    パネル
２    板材
３    防音シート
４    耳
１１    骨組み材
１２    樹脂製吸音材
１３    多孔板
１４    ドア
１５    開口部
１６    第１の段差
１７    第２の段差
１８    シール材
１９    シール材
２１    ドア本体
２２    中間板
２３    吸音板
２４    ドアノブ
【図１】
2014009509.tif 000003
【図２】
2014009509.tif 000004
【図３】
2014009509.tif 000005
【図４】
2014009509.tif 000006